(57)【要約】【課題】非矩形の画像表示領域の端部でも内方と同様の色バランスで画像を表示すること。【解決手段】カラー画像を表示する領域１６の縁部に配設されている複数の原色毎の端部サブ画素２１ｒ、２１ｇ、２１ｂからなる端部単位画素２１と、該端部単位画素の内方に配設されている複数の原色毎の内部サブ画素２０ｒ、２０ｇ、２０ｂからなる内部単位画素２０とを備えて、前記端部サブ画素は、原色毎の面積比が前記内部サブ画素と同等になるように設定されており、前記表示領域の外縁１６ａ位置に応じて前記端部サブ画素の並列方向を前記内部サブ画素の並列方向と異ならせている。【選択図】図５
2010286825.tif 000002
【特許請求の範囲】
【請求項１】
カラー画像を表示する表示領域の縁部に配設されている複数の原色毎の端部サブ画素からなる端部単位画素と、該端部単位画素の内方に配設されている複数の原色毎の内部サブ画素からなる内部単位画素とを備えて、
前記端部サブ画素は、原色毎の面積比が前記内部サブ画素と同等になるように設定されており、
前記表示領域の外縁位置に応じて前記端部サブ画素の並列方向を前記内部サブ画素の並列方向と異ならせていることを特徴とするカラー画像表示方式。
【請求項２】
前記複数の原色毎の前記サブ画素の面積が略均等に設定されていることを特徴とする請求項１記載のカラー画像表示方式。
【請求項３】
前記複数の原色毎の前記サブ画素の面積が前記原色毎の発光効率に応じて設定されていることを特徴とする請求項１記載のカラー画像表示方式。
【請求項４】
前記端部単位画素は、隣接する前記カラー画像の非表示領域との間の領域境界線、又は該領域境界線の反対側で隣接する前記内部単位画素との間の画素境界線の一方に対して直交する方向に、前記端部サブ画素が延在するように形成されて並列されていることを特徴とする請求項１、２又は３記載のカラー画像表示方式。
【請求項５】
前記端部単位画素は、隣接する前記カラー画像の非表示領域との間の領域境界線の延長方向と、該領域境界線の反対側で隣接する前記内部単位画素との間の画素境界線の延長方向とが略平行となる方向に、前記端部サブ画素が並列されていることを特徴とする請求項１乃至４の何れか１に記載のカラー画像表示方式。
【請求項６】
前記端部単位画素は、隣接する前記カラー画像の非表示領域との間の領域境界線と、隣接する前記内部単位画素との間の画素境界線の直交する２辺との間で挟角を形成しており、
前記領域境界線の延長方向に、前記端部サブ画素が並列されていることを特徴とする請求項１乃至４の何れか１に記載のカラー画像表示方式。
【請求項７】
前記端部単位画素と前記カラー画像の前記非表示領域との間の、前記領域境界線は、前記内部単位画素の並列方向に対して０度、４５度又は９０度の角度をなす複数の線分から構成されていることを特徴とする請求項４、５又は６記載のカラー画像表示方式。
【請求項８】
前記端部単位画素は、隣接する前記内部単位画素との間の画素境界幅を前記端部サブ画素の並列方向に変化させて、当該端部サブ画素の前記原色毎の面積比を前記内部単位画素の前記内部サブ画素と同等に設定されていることを特徴とする請求項１乃至７の何れか１に記載のカラー画像表示方式。
【請求項９】
前記端部単位画素の前記端部サブ画素は、非矩形に形成されていることを特徴とする請求項１乃至７の何れか１に記載のカラー画像表示方式。
【請求項１０】
前記内部単位画素は、非矩形に形成されていることを特徴とする請求項１乃至７の何れか１に記載のカラー画像表示方式。
【請求項１１】
前記内部単位画素は、正方形に形成されて一辺と平行に前記内部サブ画素が並列される一方、前記端部単位画素は、前記内部単位画素の前記正方形の一辺と同等の幅内に前記端部サブ画素が並列されると共に当該端部サブ画素の並列方向と直交する方向の長さは前記正方形の一辺よりも短く設定されていることを特徴とする請求項１乃至１０の何れか１に記載のカラー画像表示方式。
【請求項１２】
前記表示領域は、湾曲する外縁を有することを特徴とする請求項１乃至１１の何れか１に記載のカラー画像表示方式。
【請求項１３】
前記端部単位画素は、隣接する前記単位画素の前記サブ画素に接続する回路から分岐させた分岐線を前記端部サブ画素に接続することを特徴とする請求項１乃至１２の何れか１に記載のカラー画像表示方式。
【請求項１４】
カラー画像を表示する表示領域の縁部に配設されている複数の原色毎の端部サブ画素からなる端部単位画素と、該端部単位画素の内方に配設されている複数の原色毎の内部サブ画素からなる内部単位画素とを備えて、
前記端部サブ画素は、原色毎の面積比が前記内部サブ画素と同等になるように設定されており、
前記表示領域の外縁位置に応じて前記端部サブ画素の並列方向を前記内部サブ画素の並列方向と異ならせていることを特徴とするカラーフィルタ基板。
【請求項１５】
前記複数の原色毎の前記サブ画素の面積が略均等に設定されていることを特徴とする請求項１４記載のカラーフィルタ基板。
【請求項１６】
前記複数の原色毎の前記サブ画素の面積が前記原色毎の発光効率に応じて設定されていることを特徴とする請求項１４記載のカラーフィルタ基板。
【請求項１７】
前記端部単位画素は、隣接する前記カラー画像の非表示領域との間の領域境界線、又は該領域境界線の反対側で隣接する前記内部単位画素との間の画素境界線の一方に対して直交する方向に、前記端部サブ画素が延在するように形成されて並列されていることを特徴とする請求項１４、１５又は１６記載のカラーフィルタ基板。
【請求項１８】
前記端部単位画素は、隣接する前記カラー画像の非表示領域との間の領域境界線の延長方向と、該領域境界線の反対側で隣接する前記内部単位画素との間の画素境界線の延長方向とが略平行となる方向に、前記端部サブ画素が並列されていることを特徴とする請求項１４乃至１７の何れか１に記載のカラーフィルタ基板。
【請求項１９】
前記端部単位画素は、隣接する前記カラー画像の非表示領域との間の領域境界線と、隣接する前記内部単位画素との間の画素境界線の直交する２辺との間で挟角を形成しており、
前記領域境界線の延長方向に、前記端部サブ画素が並列されていることを特徴とする請求項１４乃至１８の何れか１に記載のカラーフィルタ基板。
【請求項２０】
前記端部単位画素と前記カラー画像の前記非表示領域との間の、前記領域境界線は、前記内部単位画素の並列方向に対して０度、４５度又は９０度の角度をなす複数の線分により構成されていることを特徴とする請求項１７、１８又は１９記載のカラーフィルタ基板。
【請求項２１】
前記端部単位画素は、隣接する前記内部単位画素との間の画素境界幅を前記端部サブ画素の並列方向に変化させて、当該端部サブ画素の前記原色毎の面積比を前記内部単位画素の前記内部サブ画素と同等に設定されていることを特徴とする請求項１４乃至２０の何れか１に記載のカラーフィルタ基板。
【請求項２２】
前記端部単位画素の前記端部サブ画素は、非矩形に形成されていることを特徴とする請求項１４乃至２１の何れか１に記載のカラーフィルタ基板。
【請求項２３】
前記内部単位画素は、非矩形に形成されていることを特徴とする請求項１４乃至２１の何れか１に記載のカラーフィルタ基板。
【請求項２４】
前記内部単位画素は、正方形に形成されて一辺と平行に前記内部サブ画素が並列される一方、前記端部単位画素は、前記内部単位画素の前記正方形の一辺と同等の幅内に前記端部サブ画素が並列されると共に当該端部サブ画素の並列方向と直交する方向の長さは前記正方形の一辺よりも短く設定されていることを特徴とする請求項１４乃至２３の何れか１に記載のカラーフィルタ基板。
【請求項２５】
前記表示領域は、湾曲する外縁を有することを特徴とする請求項１４乃至２４の何れか１に記載のカラーフィルタ基板。
【請求項２６】
請求項１４乃至２５の何れか１に記載のカラーフィルタ基板と、
前記カラーフィルタ基板の前記サブ画素を機能させる、アレイ状に配置された薄膜トランジスタと、前記薄膜トランジスタのゲート端子に接続された走査線と、ソース又はドレイン端子に接続された信号線とを備えた回路基板とから構成され、
前記端部単位画素では、隣接する前記内部単位画素の前記サブ画素を機能させる前記薄膜トランジスタに接続する前記走査線あるいは前記信号線から分岐させた分岐線が、前記端部サブ画素を機能させる薄膜トランジスタのゲート端子あるいはソース又はドレイン端子に接続されていることを特徴とするカラー画素アレイ基板。
【請求項２７】
請求項１４乃至２５の何れか１に記載のカラーフィルタ基板と、
前記カラーフィルタ基板の前記サブ画素を機能させる、アレイ状に配置された薄膜トランジスタと、前記薄膜トランジスタのゲート端子に接続された走査線と、ソース又はドレイン端子に接続された信号線とを備えた回路基板とから構成され、
前記端部単位画素では、隣接する前記内部単位画素の前記サブ画素を機能させる前記薄膜トランジスタに接続する前記走査線から分岐させた分岐線が、前記端部サブ画素を機能させる薄膜トランジスタのゲート端子に接続され、かつ、
前記内部単位画素の前記サブ画素を機能させる薄膜トランジスタに接続された前記信号線とは異なる信号線が、前記端部サブ画素を機能させる薄膜トランジスタのソース又はドレイン端子に接続されていることを特徴とするカラー画素アレイ基板。
【請求項２８】
請求項１４乃至２５の何れか１に記載のカラーフィルタ基板と、
前記カラーフィルタ基板の前記サブ画素を機能させる、アレイ状に配置された透明共通電極及び透明画素電極と、前記透明画素電極にドレイン又はソース端子を接続した薄膜トランジスタと、前記薄膜トランジスタのゲート端子に接続された走査線と、ソース又はドレイン端子に接続された信号線とを備えた回路基板とから構成され、
前記端部単位画素では、隣接する前記内部単位画素の前記サブ画素を機能させる透明画素電極と透明共通電極との間に生じる電界方向と、前記端部サブ画素を機能させる透明画素電極と透明共通電極との間に生じる電界方向とが略等しくなる態様に構成されていることを特徴とするカラー画素アレイ基板。
【請求項２９】
カラー画像を表示する領域の縁部に配設されている複数の原色毎の端部サブ画素からなる端部単位画素と、該端部単位画素の内方に配設されている原色毎の内部サブ画素からなる内部単位画素とを具備する画像表示領域を備えて、
前記端部単位画素が、前記内部単位画素よりも小面積に設定されていると共に、前記端部サブ画素は、原色毎の面積比が前記内部サブ画素と同等になるように設定されており、
前記表示領域の外縁位置に応じて前記端部サブ画素の並列方向を前記内部サブ画素の並列方向と異ならせていることを特徴とする画像表示装置。
【請求項３０】
カラー画像を表示する領域の縁部に配設されている複数の原色毎の端部サブ画素からなる端部単位画素と、該端部単位画素の内方に配設されている原色毎の内部サブ画素からなる内部単位画素とを具備する画像表示装置を搭載して、
前記端部サブ画素は、原色毎の面積比が前記内部サブ画素と同等になるように設定されており、
前記表示領域の外縁位置に応じて前記端部サブ画素の並列方向を前記内部サブ画素の並列方向と異ならせていることを特徴とする電子機器。
【発明の詳細な説明】
【技術分野】
【０００１】
この発明は、カラー画像表示方式、カラーフィルタ基板、カラー画素アレイ基板、画像表示装置及び電子機器に係り、詳しくは、画像の表示領域の外縁の一部又は全体が非矩形に形成されているカラー画像表示方式、カラーフィルタ基板、カラー画素アレイ基板、画像表示装置及び電子機器に関する。
【背景技術】
【０００２】
画像表示装置は、文字等の画像やイラスト等の画像で各種情報を表示出力する場合に多用されており、単独の装置だけでなく、種々の装置にも搭載されている。特に、近年普及している液晶表示装置などの薄型の画像表示装置は、軽量でもあるという特徴から、携帯電話機等の携帯端末装置に搭載されている。この画像表示装置には、機能性やデザイン性の向上を目的として、画像表示領域の外形を、４隅が直角の矩形だけでなく、円形や楕円形の非矩形にすることも求められている（例えば、特許文献１〜３）。
【０００３】
この種の画像表示装置としては、画像表示領域を円形にし、円形に開口する枠部材で、画像表示領域の外縁の外側を覆い隠して、例えば、携帯電話機の表面側に搭載された画像表示装置が知られている。
【０００４】
ここで、画像表示領域は、カラー表示画面を得るために、単位画素は、互いに３原色をなす、Ｒ（red）で発色するサブ画素と、Ｇ（green）で発色するサブ画素と、Ｂ（blue）で発色するサブ画素とから構成されている。画像表示領域を円形にするには、図２０に示すように、その外縁（領域境界線）１６０ａに略一致する遮光層１８０で覆う。この場合には、内方に位置する内部単位画素２０では、単位画素を構成するＲＧＢの内部サブ画素２０ｒ、２０ｇ、２０ｂの全体が露出して色バランスが保たれている。しかるに、その外縁１６０ａに位置する端部単位画素１０１では、ＲＧＢの端部サブ画素１０１ｒ、１０１ｇ、１０１ｂの一部が遮光層１８０で隠されて露出面積に差が生じることで色バランスが乱れて、所謂、色付きが発生する。なお、図中において、サブ画素の表面にＲＧＢの各文字が表示されているが、実際に表示されている訳ではなく、分り易くするために表示しているだけである（以下で説明する図面においても同様）。
【０００５】
このため、特許文献４では、その端部単位画素を構成するＲＧＢの端部サブ画素毎の発光領域を遮光するブラックマトリックスの幅やその端部サブ画素の幅自体を変えることで、端部サブ画素毎の発光面積の差を少なくすることで色バランスを保つことが提案されている。
【０００６】
また、特許文献５では、端部単位画素を構成するＲＧＢの端部サブ画素の面積を小さくして精細度を向上させることで、相対的な端部サブ画素毎の面積差を少なくして色付きを抑えることが提案されている。
【先行技術文献】
【特許文献】
【０００７】
【特許文献１】特開平０４−１７７９８６号公報
【特許文献２】ＷＯ９３／０４４６０
【特許文献３】特開２００６−２７６３５９号公報
【特許文献４】特開２００６−２７６５８０号公報
【特許文献５】特開２００５−３１５９６０号公報
【発明の概要】
【発明が解決しようとする課題】
【０００８】
しかしながら、特許文献４に記載の関連技術にあっては、図２１に示すように、端部単位画素１０１の端部サブ画素１０１ｒのほとんどが遮光層１８０で隠されてしまと、ブラックマトリクス幅の調整等では色バランスを保つことが難しい。
【０００９】
また、特許文献５に記載の関連技術にあっては、矩形の画像表示領域における端部での色付きを抑えるために端部単位画素を構成するＲＧＢの端部サブ画素の面積を小さくするだけであることから、遮光層で任意の形状に覆われてしまう場合には対応することができない。すなわち、特許文献５に記載の関連技術にあっても、特許文献４に記載の関連技術と同様に、端部サブ画素の面積比に差が出てしまう場合には、色バランスを保つことが難しい。また、端部単位画素を機能させる各種の回路構成は、内部単位画素と同様に配設することができず、端部サブ画素に対応して狭い領域内に配設する必要がある。このことから、例えば、液晶表示装置の場合には、画素回路を構成するスイッチング能動素子、蓄積容量、透明画素電極等の各要素を狭い領域に配置することが困難な場合がある。
【００１０】
この発明は、上述の事情に鑑みてなされたもので、非矩形の画像表示領域の端部でも内方と同様の色バランスで画像を表示することのできるカラー画像表示方式、カラーフィルタ基板、カラー画素アレイ基板、画像表示装置及び電子機器を提供することを目的としている。
【課題を解決するための手段】
【００１１】
上記課題を解決するために、この発明の構成は、カラー画像を表示する領域の縁部に配設されている複数の原色毎の端部サブ画素からなる端部単位画素と、該端部単位画素の内方に配設されている原色毎の内部サブ画素からなる内部単位画素とを備えて、前記端部サブ画素は、原色毎の面積比が前記内部サブ画素と同等になるように設定されており、前記表示領域の外縁位置に応じて前記端部サブ画素の並列方向を前記内部サブ画素の並列方向と異ならせていることを特徴としている。
【発明の効果】
【００１２】
この発明の構成によれば、カラー画像の表示領域の外縁の位置に応じて、端部サブ画素を内部サブ画素と異なる方向に並列させる。したがって、端部サブ画素の一部が大きく隠されてしまうことを回避することができ、内部サブ画素と端部サブ画素のＲＧＢの面積比が均等になるように設定することができる。
【図面の簡単な説明】
【００１３】
【図１】この発明の第１の実施形態である画像表示装置を搭載する携帯電話機の外観を示す斜視図である。
【図２】同画像表示装置の画像表示領域を示す平面図である。
【図３】同画像表示装置のカラーフィルタ基板における回路領域及び画素領域の構成を示す一部拡大平面図である。
【図４】同画像表示装置を構成する画像表示領域のうち、一の端部まわりの画素構成を一部拡大して示す一部拡大平面図である。
【図５】同画像表示装置を構成する画像表示領域のうち、別の端部まわりの画素構成を示す一部拡大平面図である。
【図６】この発明の第２の実施形態である画像表示装置を構成する画像表示領域のうち、一の端部まわりの画素構成を一部拡大して示す一部拡大平面図である。
【図７】同画像表示装置を構成する画像表示領域のうち、別の端部まわりの画素構成を示す一部拡大平面図である。
【図８】この発明の第３の実施形態である画像表示装置を構成する画像表示領域のうち、一の端部まわりの画素構成を一部拡大して示す一部拡大平面図である。
【図９】同画像表示装置を構成する画像表示領域のうち、別の端部まわりの画素構成を示す一部拡大平面図である。
【図１０】この発明の第４の実施形態である画像表示装置の画素構成を一部拡大して示す一部拡大平面図である。
【図１１】この発明の第５の実施形態である画像表示装置の画像表示領域を示す平面図である。
【図１２】同画像表示装置の画素構成を示す一部拡大平面図である。
【図１３】同画像表示装置のカラーフィルタ基板における回路領域の構成を示す一部拡大平面図である。
【図１４】同画像表示装置のカラーフィルタ基板における回路領域及び画素領域の構成を示す一部拡大平面図である。
【図１５】この発明の第６の実施形態である画像表示装置の画素構成を一部拡大して示す一部拡大平面図である。
【図１６】この発明の第７の実施形態である画像表示装置の画素アレイ基板（カラーフィルタ基板と回路側基板）における回路領域の構成を示す一部拡大平面図である。
【図１７】同画像表示装置の回路側基板における回路領域及び画素領域の構成を示す一部拡大平面図である。
【図１８】この発明の第８の実施形態である画像表示装置を構成する画像表示領域のうち、一の端部まわりの画素構成を一部拡大して示す一部拡大平面図である。
【図１９】同画像表示装置を構成する画像表示領域のうち、別の端部まわりの画素構成を示す一部拡大平面図である。
【図２０】この発明の関連技術としての、携帯電話機に搭載されている画像表示装置の画素構成を示す一部拡大平面図である。
【図２１】同画像表示装置の課題を説明する、その画素構成を示す一部拡大平面図である。
【発明を実施するための形態】
【００１４】
カラー画像を表示する領域の縁部に配設されている複数の原色毎の端部サブ画素からなる端部単位画素と、該端部単位画素の内方に配設されている複数の原色毎の内部サブ画素からなる内部単位画素とを備えて、前記端部サブ画素は、原色毎の面積比が前記内部サブ画素と同等になるように設定されており、前記表示領域の外縁位置に応じて前記端部サブ画素の並列方向を前記内部サブ画素の並列方向と異ならせていると共に、前記原色毎の前記端部サブ画素の面積が略均等に設定されている。前記端部単位画素は、隣接する前記カラー画像の非表示領域との間の領域境界線、又は該領域境界線の反対側で隣接する前記内部単位画素との間の画素境界線の一方に対して直交する方向に、前記端部サブ画素が延在するように形成されて並列されている。同時に、又は、前記端部単位画素は、隣接する前記カラー画像の非表示領域との間の領域境界線の延長方向と、該領域境界線の前記端部画素の反対側で隣接する前記内部単位画素との間の画素境界線の延長方向とが略平行となる方向に、前記端部サブ画素が並列されている。
【実施形態１】
【００１５】
以下、図面を参照して、この発明の実施形態について詳細に説明する。
図１は、この発明の第１の実施形態である画像表示装置を搭載する携帯電話機の外観を示す斜視図、図２は、同画像表示装置の画像表示領域を示す平面図、図３は、同画像表示装置のカラーフィルタ基板における回路領域及び画素領域の構成を示す一部拡大平面図、図４は、同画像表示装置を構成する画像表示領域のうち、一の端部まわりの画素構成を一部拡大して示す一部拡大平面図、また、図５は、同画像表示装置を構成する画像表示領域のうち、別の端部まわりの画素構成を示す一部拡大平面図である。
【００１６】
この実施形態の携帯電話機（電子機器）は、図１に示すように、操作筐体ケース１２と表示筐体ケース１１とが概略同一形状となる薄い箱型に形成されて、互いにヒンジ部１３を中心にして対面・離隔する方向に相対回動する、所謂、クラムシェル型に構築されている。操作筐体ケース１２は、各種の操作キー１４が表示筐体ケース１１との対面側に配列されて操作部を構成すると共に、不図示のマイクロフォンを内蔵してマイク側筐体をも構成する。
【００１７】
一方、表示筐体ケース１１は、操作筐体ケース１２との対面側に、不図示の矩形で大面積の画像表示領域を備える矩形液晶表示装置が搭載されていると共に、不図示のスピーカを内蔵してレシーバ側筐体をも構成する。表示筐体ケース１１は、機能性やデザイン性の観点から、表面側に設置されているリング形状の枠部材１７内に、円形（非矩形）で小面積の画像表示領域１６を備えるように、円形液晶表示装置（画像表示装置）１５が搭載されている。
【００１８】
円形液晶表示装置１５は、図２に示すように、画像を表示するための単位画素２０がマトリックス状に円形の画素アレイ基板（カラーフィルタ基板と回路側基板）１９内に配列されており、リング形状の枠部材１７（図１）に重なるように形成されている遮光層１８で覆い隠すことで画像表示領域１６の外縁１６ａを略滑らかになるように連続させて縁取っている。液晶表示装置は、図３に示すように、単位画素２０が３原色の赤（Ｒ）、緑（Ｇ）、青（Ｂ）毎のサブ画素２０ｒ、２０ｇ、２０ｂを並列させて構成されている。単位画素２０は、サブ画素２０ｒ、２０ｇ、２０ｂ毎にカラーフィルタ基板と回路側基板の間に充填する液晶を機能させることで、画素領域の各色フィルタを透過するバックライト光で操作キー１４の操作入力情報や不図示のアンテナを介する各種受信情報などをカラー表示する。サブ画素２０ｒ、２０ｇ、２０ｂは、それぞれが、液晶に信号電圧を加える透明電極２２と、その信号電圧を保持する蓄積容量領域２３と、その信号電圧のスイッチングを実行する能動素子としての、例えば、シリコン薄膜からなる薄膜トランジスタ（ＴＦＴ）２４とで構成されている。この薄膜トランジスタ２４の信号電圧のオンオフは、ゲート領域２４ｇに導通接続する走査線２５で行う一方、液晶に印加する信号電圧はソース／ドレイン領域２４ｓｄに導通接続されている信号線２６から伝達するようになっている。
【００１９】
単位画素２０は、正方形を短冊状に３分割することでサブ画素２０ｒ、２０ｇ、２０ｂが準備されており、隣接する単位画素２０との間の境界やサブ画素２０ｒ、２０ｇ、２０ｂの間での混色を防止すると共にコントラストを向上させるために、それぞれの間にブラックマトリックス（遮光部）２７（図４及び図５を参照）が形成されている。また、単位画素２０は、サブ画素２０ｒ、２０ｇ、２０ｂ毎のカラーフィルタの透過率を同等に設定されており、そのサブ画素２０ｒ、２０ｇ、２０ｂの面積が同等になるように形成されている。
【００２０】
そして、図２に戻って、円形液晶表示装置１５は、遮光層１８内の画像表示領域１６の外縁１６ａ位置に応じて、その外縁１６ａの遮光層１８との領域境界線Ｌｔに隣接する端部単位画素２１が内方の内部単位画素２０よりも小面積になるように形成されている。また、端部単位画素２１は、端部サブ画素２１ｒ、２１ｇ、２１ｂが個々の矩形を維持しつつ内部単位画素２０の内部サブ画素２０ｒ、２０ｇ、２０ｂと面積比が同等になるように形成されていると共に、外縁１６ａ位置に応じて、その端部サブ画素２１ｒ、２１ｇ、２１ｂの並列方向を変化させている。
【００２１】
具体的には、円形液晶表示装置１５は、画像表示領域１６の図２中の上側又は下側の外縁１６ａに位置する端部単位画素２１では、端部サブ画素２１ｒ、２１ｇ、２１ｂが、内部単位画素２０の内部サブ画素２０ｒ、２０ｇ、２０ｂの並列方向と同一の横方向に並列配置されている。また、その端部単位画素２１毎に端部サブ画素２１ｒ、２１ｇ、２１ｂが同一面積になるように上側又は下側を縮小して内部単位画素２０よりも小面積に形成している。例えば、図４に示すように、画像表示領域１６の上側の外縁１６ａで左側に位置する端部単位画素２１の場合には、端部サブ画素２１ｒ、２１ｇ、２１ｂを内部単位画素２０と画素幅Ｗを変えずに横方向に並列させている。また、この端部単位画素２１は、遮光層１８との領域境界線Ｌｔが滑らかに連続する円弧（湾曲）形状にできるだけ近くなるように、その端部単位画素２１毎に連続的に画素高さＨを縮小して（端部サブ画素２１ｒ、２１ｇ、２１ｂを均等に短縮して）階段形状に形成されている。
【００２２】
また、画像表示領域１６の図２中の右側又は左側の外縁１６ａに位置する端部単位画素２１では、端部サブ画素２１ｒ、２１ｇ、２１ｂが、内部単位画素２０の内部サブ画素２０ｒ、２０ｇ、２０ｂの並列方向と直交する縦方向に並列配置されている。また、その端部単位画素２１毎に端部サブ画素２１ｒ、２１ｇ、２１ｂが同一面積になるように右側又は左側を縮小して内部単位画素２０よりも小面積に形成されている。例えば、図５に示すように、画像表示領域１６の左側の外縁１６ａで上側に位置する端部単位画素２１では、端部サブ画素２１ｒ、２１ｇ、２１ｂが、内部単位画素２０の内部サブ画素２０ｒ、２０ｇ、２０ｂの姿勢から９０度回転させて画素高さＨの縦方向に並列配置されている。また、この端部単位画素２１は、遮光層１８との領域境界線Ｌｔが滑らかに連続する円弧形状にできるだけ近くなるように、その端部単位画素２１毎に連続的に内部単位画素２０の画素幅Ｗに対応する画素高さＨを縮小して階段形状に形成されている。
【００２３】
すなわち、端部単位画素２１は、内部単位画素２０が正方形に形成されていることからその縦又は横の一辺と平行に端部サブ画素２１ｒ、２１ｇ、２１ｂを並列させることができ、その並列方向を画像表示領域１６の外縁１６ａ位置に応じて変化させることができる。この実施形態では、端部単位画素２１は、隣接する遮光層１８との領域境界線Ｌｔの延長方向と、その反対側で隣接する内部単位画素２０との間のブラックマトリックス（画素境界線）２７の延長方向とが略平行となる方向に、端部サブ画素２１ｒ、２１ｇ、２１ｂを並列させている。言い換えると、端部単位画素２１は、隣接する遮光層１８との領域境界線Ｌｔや、その反対側で隣接する内部単位画素２０との間のブラックマトリックス２７の何れに対しても直交する方向に延在するように端部サブ画素２１ｒ、２１ｇ、２１ｂが形成されて並列されている。このため、端部単位画素２１は、遮光層１８と内部単位画素２０の間の隙間の延長方向に対して、端部サブ画素２１ｒ、２１ｇ、２１ｂを直交する姿勢で延在させて並列させることができ、遮光層１８に沿う方向に並列させることができる。
【００２４】
このように、この実施形態によれば、円形液晶表示装置１５は、画像表示領域１６の外縁１６ａに位置する端部単位画素２１の端部サブ画素２１ｒ、２１ｇ、２１ｂの一部が偏った状態で遮光層１８で隠されてしまうことを回避することができる。したがって、端部単位画素２１でも、内部単位画素２０と同様に、各色を均等面積で表示することができ、画像表示領域１６の外縁１６ａでの色バランスを維持することができる。
【実施形態２】
【００２５】
次に、この発明の第２の実施形態について説明する。
図６は、この発明の第２の実施形態である画像表示装置を構成する画像表示領域のうち、一の端部まわりの画素構成を一部拡大して示す一部拡大平面図、また、図７は、同画像表示装置を構成する画像表示領域のうち、別の端部まわりの画素構成を示す一部拡大平面図である。ここで、この実施形態は、上述の実施形態と同様の構成も備えることから、同様の構成には同一の符号を付して特徴部分を説明する（以下で説明する他の実施形態においても同様）。
【００２６】
この実施形態の携帯電話機（電子機器）の円形液晶表示装置１５は、上述の第１の実施形態と同様に、画像表示領域１６の図６中の上側又は図示せぬ下側の外縁１６ａに位置する端部単位画素３１の場合では、端部サブ画素３１ｒ、３１ｇ、３１ｂが、内部単位画素２０の内部サブ画素２０ｒ、２０ｇ、２０ｂの並列方向と同一の横方向に並列配置されている。また、その端部単位画素３１毎に端部サブ画素３１ｒ、３１ｇ、３１ｂが同一面積になるように上側又は下側を縮小して内部単位画素２０よりも小面積に形成されている。一方、画像表示領域１６の図６中の左側又は図示せぬ右側の外縁１６ａに位置する端部単位画素３１の場合にも、端部サブ画素３１ｒ、３１ｇ、３１ｂを内部単位画素２０の内部サブ画素２０ｒ、２０ｇ、２０ｂの並列方向と直交する縦方向に並列させている。この端部単位画素３１は、その端部単位画素３１毎に端部サブ画素３１ｒ、３１ｇ、３１ｂが同一面積になるように右側又は左側を縮小して内部単位画素２０よりも小面積に形成されている。
【００２７】
そして、この実施形態では、画像表示領域１６の遮光層１８との領域境界線Ｌｔがより滑らかに連続する円弧形状になるように、外縁１６ａの反対側で端部単位画素３１に隣接する内部単位画素２０との間のブラックマトリックス２７の幅（画素境界幅）を変化させている。すなわち、この画像表示領域１６では、端部サブ画素３１ｒ、３１ｇ、３１ｂの面積を均等にする状態を維持しつつ、外縁１６ａと略平行に延長されているブラックマトリックス２７の幅を変化させている。
【００２８】
例えば、図６及び図７に示すように、画像表示領域１６の上側の外縁１６ａで左側に位置する端部単位画素３１の場合や、画像表示領域１６の左側の外縁１６ａで下側に位置する端部単位画素３１の場合の何れでも、隣接するブラックマトリックス２７の幅を端部サブ画素３１ｒ、３１ｇ、３１ｂ毎に変化させてより細かく連続する階段形状に形成されている。
【００２９】
このように、この実施形態によれば、上述の第１の実施形態の作用効果に加えて、円形液晶表示装置１５は、画像表示領域１６の外縁１６ａを端部単位画素３１の端部サブ画素３１ｒ、３１ｇ、３１ｂ毎に階段状に変化させてより滑らかに連続する円弧形状にすることができる。
【００３０】
ところで、上記の特許文献４で説明した関連技術では、画像の表示領域の外縁と交差するブラックマトリックスの幅を変化させて太くしていることから、外縁の一部と認識されて滑らかさを損なう可能性がある。これに対して、この実施形態では、画像表示領域１６の外縁１６ａと略平行のブラックマトリックス２７の幅を変化させているので、ブラックマトリックス２７が太くなっても外縁１６ａと誤認されてしまうことはない。
【実施形態３】
【００３１】
次に、この発明の第３の実施形態について説明する。
図８は、この発明の第３の実施形態である画像表示装置を構成する画像表示領域のうち、一の端部まわりの画素構成を一部拡大して示す一部拡大平面図、また、図９は、同画像表示装置を構成する画像表示領域のうち、別の端部まわりの画素構成を示す一部拡大平面図である。
【００３２】
この実施形態の携帯電話機（電子機器）の円形液晶表示装置１５は、上述の第２の実施形態と同様に、画像表示領域１６の図８中の上側又は図示せぬ下側の外縁１６ａに位置する端部単位画素３３では、端部サブ画素３３ｒ、３３ｇ、３３ｂが、内部単位画素２０の内部サブ画素２０ｒ、２０ｇ、２０ｂの並列方向と同一の横方向に並列配置されている。また、画像表示領域１６の図８中の左側又は図示せぬ右側の外縁１６ａに位置する端部単位画素３３も、端部サブ画素３３ｒ、３３ｇ、３３ｂが、内部単位画素２０の内部サブ画素２０ｒ、２０ｇ、２０ｂの並列方向と直交する縦方向に並列配置されている。
【００３３】
そして、この実施形態では、例えば、図８及び図９に示すように、画像表示領域１６の遮光層１８との領域境界線Ｌｔが完全に滑らかに連続する円弧形状になるように、端部単位画素３３の端部サブ画素３３ｒ、３３ｇ、３３ｂの外縁１６ａ側を非矩形にしている。すなわち、端部サブ画素３３ｒ、３３ｇ、３３ｂは、外縁１６ａに対して直交することなく、その反対側の内部単位画素２０との間のブラックマトリックス２７に対して直交する方向に延長する姿勢で並列されている。
【００３４】
一方、画像表示領域１６の外縁１６ａの反対側では、端部単位画素３３に隣接する内部単位画素２０との間のブラックマトリックス２７の幅と形状を領域境界線Ｌｔにほぼ倣うように変化させて各端部単位画素の端部サブ画素３３ｒ、３３ｇ、３３ｂを同一の小面積にしている。
【００３５】
このように、この実施形態によれば、上述の第２の実施形態の作用効果に加えて、円形液晶表示装置１５は、画像表示領域１６の外縁１６ａを端部単位画素３３の端部サブ画素３３ｒ、３３ｇ、３３ｂを非矩形に形成して滑らかに連続する円弧形状にすることができる。
【実施形態４】
【００３６】
次に、この発明の第４の実施形態について説明する。
図１０は、この発明の第４の実施形態である画像表示装置の画素構成を示す一部拡大平面図である。
【００３７】
この実施形態の携帯電話機（電子機器）の円形液晶表示装置１５は、上述の第２の実施形態と同様に、画像表示領域１６の図１０中の上側又は下側の外縁１６ａに位置する端部単位画素３４では、端部サブ画素３４ｒ、３４ｇ、３４ｂを内部単位画素２０の内部サブ画素２０ｒ、２０ｇ、２０ｂの並列方向と同一の横方向に並列配置されている。また、画像表示領域１６の図示せぬ右側又は左側の外縁１６ａに位置する端部単位画素３４も、端部サブ画素３４ｒ、３４ｇ、３４ｂが、内部単位画素２０の内部サブ画素２０ｒ、２０ｇ、２０ｂの並列方向と直交する縦方向に並列配置されている。
【００３８】
そして、この実施形態では、例えば、図８及び図９に示すように、画像表示領域１６の遮光層１８との領域境界線Ｌｔが水平の０度と垂直の９０度とに対して斜め４５度で構成するように、端部単位画素３４の端部サブ画素３４ｒ、３４ｇ、３４ｂの外縁１６ａ側を非矩形にしている。
【００３９】
一方、画像表示領域１６の外縁１６ａの反対側では、端部単位画素３４に隣接する内部単位画素２０との間のブラックマトリックス２７の幅と形状を０度、９０度と４５度で構成された領域境界線Ｌｔにほぼ倣うように変化させて各端部単位画素の端部サブ画素３４ｒ、３４ｇ、３４ｂを同一の小面積にしている。
【００４０】
このように、この実施形態によれば、上述の第３の実施形態の領域境界Ｌｔが自由な角度で構成されているのに対して、０度、９０度、４５度の３種類に限定をかけている。もしも、境界に自由な角度を持たせた場合、液晶表示装置の製造時に角度の公差管理が複雑になってしまう。それゆえ、この実施形態によれば、製造上の公差管理を軽減させながら、画像表示領域１６の外縁１６ａを滑らかな円弧形状にすることができる。
【００４１】
ここで、限定する角度は自由に選択して良いが、４５度を用いる利点は以下の通りである。図６及び図７に示すように、第1の実施の形態では角度を０度と９０度に制限している。このため、図２の円形表示画面の外縁１６ａのうち、水平あるいは垂直に近い角度の外縁は滑らかにできるが、水平から垂直に切り換わる斜め４５度付近では、外縁１６ａを滑らかにできない。これに対して、領域境界Ｌｔの角度に４５度を加えるこの実施の形態によれば、上記の不都合は解消し、外縁１６ａの滑らかさが一段と向上する。
【実施形態５】
【００４２】
次に、この発明の第５の実施形態について説明する。
図１１は、この発明の第５の実施形態である画像表示装置の画像表示領域を示す平面図、図１２は、同画像表示装置の画素構成を示す一部拡大平面図、図１３は、同画像表示装置の画素アレイ基板（カラーフィルタ基板と回路側基板）における回路領域の構成を示す一部拡大平面図、また、図１４は、同画像表示装置の回路側基板における回路領域及び画素領域の構成を示す一部拡大平面図である。
【００４３】
この実施形態の携帯電話機（電子機器）の表示筐体ケース１１は、機能性やデザイン性の観点から、表面側に設置されている三角形の不図示の枠部材内に、三角形（非矩形）で小面積の画像表示領域４６を備えるように、三角形液晶表示装置（画像表示装置）４５が搭載されている。
【００４４】
三角形液晶表示装置４５は、図１１に示すように、画像を表示するための単位画素２０がマトリックス状に三角形の画素アレイ基板（カラーフィルタ基板と回路側基板）４９内に配列されており、三角形の上記枠部材に重なるように形成されている遮光層４８で覆い隠すことで画像表示領域４６の外縁４６ａを縁取っている。
【００４５】
三角形液晶表示装置４５は、遮光層４８内の画像表示領域４６の外縁４６ａ位置に応じて、その外縁４６ａの遮光層４８との領域境界線Ｌｔに隣接する端部単位画素４１が内方の内部単位画素２０よりも小面積になるように形成されている。また、端部単位画素４１は、図１２に示すように、端部サブ画素４１ｒ、４１ｇ、４１ｂが内部単位画素２０の内部サブ画素２０ｒ、２０ｇ、２０ｂとＲ、Ｂの底辺と高さ、及びＧの幅等を調整し、面積比が同等になるように形成されていると共に、外縁４６ａ位置に応じて、その端部サブ画素４１ｒ、４１ｇ、４１ｂの並列方向を変化させている。
【００４６】
具体的には、三角形液晶表示装置４５は、画像表示領域４６の三角形の斜辺を構成する外縁４６ａに位置する端部単位画素４１では、その外縁４６ａと平行に端部サブ画素４１ｒ、４１ｇ、４１ｂが端部サブ画素４１ｒ、４１ｇ、４１ｂはまた、その端部単位画素２１毎に端部サブ画素４１ｒ、４１ｇ、４１ｂが同一面積になるように並列方向の幅を調整して内部単位画素２０よりも小面積に形成されている。例えば、図１２に示すように、画像表示領域４６の左側斜辺の外縁４６ａに位置する端部単位画素２１では、端部サブ画素４１ｒ、４１ｇ、４１ｂは、内部単位画素２０の画素幅Ｗや画素高さＨを斜辺とする相似形状に形成されて、その底辺側で並列配置されている。なお、この端部単位画素４１は、画像表示領域４６の三角形の斜辺の外縁４６ａに位置して内部単位画素２０にも隣接することから、その斜辺の左右で対象となる。
【００４７】
すなわち、端部単位画素４１は、隣接する内部単位画素２０との間のブラックマトリックス（画素境界線）２７の直交する２辺と、隣接する外縁４６ａの遮光層４８との領域境界線Ｌｔとの間で挟角を形成する形状に形成されており、その領域境界線Ｌｔの延長方向に端部サブ画素４１ｒ、４１ｇ、４１ｂが並列されている。このため、端部単位画素４１は、遮光層４８と内部単位画素２０の間の隙間の延長方向に、言い換えると、画像表示領域４６の外縁４６ａ（領域境界線Ｌｔ）に対して直交する方向に、端部サブ画素４１ｒ、４１ｇ、４１ｂを延在する姿勢にして、遮光層４８に沿う方向に並列させている。
【００４８】
ここで、端部単位画素４１は、端部サブ画素４１ｒ、４１ｇ、４１ｂが縮小されて内部単位画素２０の内部サブ画素２０ｒ、２０ｇ、２０ｂと異なる方向に並列（配列）されている。このことから、図１３及び図１４に示すように、端部サブ画素４１ｒ、４１ｇ、４１ｂの透明電極２２ａがそれぞれの形状に合わせて形成されている。また、端部サブ画素４１ｒ、４１ｇ、４１ｂを機能させる追加信号線４７は、遮光層４８の形成領域内で追加してその分岐信号線４７ａを薄膜トランジスタ２４のゲート領域２４ｇに導通接続させる一方、走査線２５はそこから分岐させた分岐走査線２５ａを薄膜トランジスタ２４のソース／ドレイン領域２４ｓｄに導通接続させることで、信号電圧のオンオフを行って液晶に印加するようになっている。このため、端部単位画素４１は、特別に走査線を引き回すことなく、内部単位画素２０の走査線２５を共通に利用して機能させている。
【００４９】
このように、この実施形態によれば、上述の実施形態の作用効果と同様に、三角形液晶表示装置４５は、画像表示領域４６の斜辺側の外縁４６ａに位置する端部単位画素４１の端部サブ画素４１ｒ、４１ｇ、４１ｂが面積に差の生じる状態に遮光層４８で隠されてしまうことを回避することができる。また、端部単位画素４１は、内部単位画素２０と同様に、各色を均等面積で表示することができ、画像表示領域４６の外縁４６ａでの色バランスを維持することができる。また、端部サブ画素４１ｒ、４１ｇ、４１ｂは、内部単位画素２０の画素幅Ｗや画素高さＨよりも長い間隔内で並列させているので、蓄積容量領域２３や薄膜トランジスタ（ＴＦＴ）２４等を小型化する必要がなく、容易に設計して形成することができる。
【００５０】
ところで、上記の特許文献５では、サブ画素を小面積化するために、走査線が増加して配線設計を難しくしてしまうと段落「００２０」において指摘している。これに対して、この実施形態では、内部単位画素２０の走査線２５を分岐させた分岐走査線２５ａで端部単位画素４１を機能させるので、容易に配線することができると共に、分岐箇所は遮光層４８で隠れるため、内部単位画素２０の配置を乱すことなく、その配線に必要な領域もムダに大きくなってしまうこともない。
【００５１】
また、この実施形態では、三角形の端部単位画素４１の端部サブ画素４１ｒ、４１ｇ、４１ｂに分岐走査線２５ａを配線して機能させる場合を一例に説明するが、上述の実施形態における端部サブ画素にも同様に配線しても良く、その場合にも、同様に、コンパクトな配線とすることができる。
【００５２】
また、この実施形態では、端部単位画素４１を三角形にする場合の一例を説明するが、上述の実施形態のように円形などの円弧形状で斜辺に近似する外縁に位置する端部単位画素を同様に構成しても良い。この場合にも同様の作用効果を得ることができる。
【実施形態６】
【００５３】
次に、この発明の第６の実施形態について説明する。
図１５は、この発明の第６の実施形態である画像表示装置の画素構成を一部拡大して示す一部拡大平面図である。
【００５４】
この実施形態の携帯電話機（電子機器）の円形液晶表示装置１５は、上述の第３の実施形態（図８、図９）と同様に、画像表示領域１６の遮光層１８との領域境界線Ｌｔが階段状になることなく滑らかに連続する円弧形状になるように、画像表示領域１６の外縁１６ａと、隣接する内部単位画素２０との間の間隔に応じて、内部単位画素２０よりも小面積に設定されている、端部単位画素５１又は端部単位画素５３が配置されている。
【００５５】
具体的には、端部単位画素５１にあっては、端部サブ画素５１ｒ、５１ｇ、５１ｂは、内部単位画素２０と同様の方向に並列配置されるだけの間隔がないときは、上述の第５の実施形態と同様に、同一面積にしつつ画像表示領域１６の外縁１６ａ（領域境界線Ｌｔ）に対して直交する方向に延在する姿勢で遮光層１８に沿う方向に並列配置されている。この場合には、上述の第５の実施形態（図１４）と同様に、後述する端部サブ画素５３ｒ、５３ｇ、５３ｂ用の信号線５７を分岐した分岐信号線５７ａを薄膜トランジスタ２４のゲート領域２４ｇ（図１４）に導通接続させる一方、走査線２５を分岐させた分岐走査線２５ａを薄膜トランジスタ２４のソース／ドレイン領域２４ｓｄ（図１４）に導通接続させることで、信号電圧のオンオフを行って液晶に印加するようになっている。このため、端部単位画素５１は、特別に走査線と共に信号線をも引き回すことなく、内部単位画素２０の走査線２５や端部単位画素５３の信号線５７を共通に利用して機能させることができる。
【００５６】
一方、端部単位画素５３は、端部サブ画素５３ｒ、５３ｇ、５３ｂを、内部単位画素２０と同様の方向に並列させるだけの間隔がある場合に、同一面積にしつつ画像表示領域１６の外縁１６ａ（領域境界線Ｌｔ）と略平行となる方向に延在する姿勢で遮光層１８に隣接するように並列させている。この場合には、端部単位画素５１との間の境界領域を介して信号線５７をそれぞれ薄膜トランジスタ２４のゲート領域２４ｇ（図１４）に導通接続させる一方、走査線２５を分岐させた分岐走査線２５ａを薄膜トランジスタ２４のソース／ドレイン領域２４ｓｄ（図１４）に導通接続させることで、信号電圧のオンオフを行って液晶に印加するようになっている。このため、端部単位画素５３でも、特別に走査線や信号線を引き回すのではなく、内部単位画素２０と同様に本来配線すべき走査線や信号線を形成して機能させることができる。
【００５７】
すなわち、端部単位画素５１、５３は、内部単位画素２０と同様に、同じカラム（列）上に位置して共通の信号線５７で機能させるようになっており、端部サブ画素５１ｒ、５１ｇ、５１ｂのように内部単位画素２０の内部サブ画素２０ｒ、２０ｇ、２０ｂと異なる方向に傾く姿勢で並列されている場合でも、上述の第４の実施形態のように、特別な追加信号線４７を必要としない。
【００５８】
このように、この実施形態によれば、上述の第１〜第５の実施形態の作用効果に加えて、円形液晶表示装置１５は、画像表示領域１６の外縁１６ａと内部単位画素２０との間の間隔に応じた端部単位画素５１、５３を配設することができ、その回路配線も容易でシンプルなものにすることができる。
【実施形態７】
【００５９】
次に、この発明の第７の実施形態について説明する。
図１６は、この発明の第７の実施形態である画像表示装置の画素アレイ基板（カラーフィルタ基板と回路側基板）における回路領域の構成を示す一部拡大平面図、また、図１７は、同画像表示装置の回路側基板における回路領域及び画素領域の構成を示す一部拡大平面図である。
【００６０】
この実施形態の画素アレイ基板は、横電界駆動（ＩＰＳ；In-Plane Switching）方式の液晶画素アレイ基板であり、その特徴は内部単位画素７０の形状、すなわち、Ｒ，Ｇ，Ｂ毎のサブ画素７０ｒ、７０ｇ、７０ｂが矩形ではなく、屈曲部のあるくの字である。
【００６１】
そして、遮光層１８内の画像表示領域１６の外縁１６ａ位置に応じて、その外縁１６ａの遮光層１８との領域境界線Ｌｔに隣接する端部単位画素７１が内方の内部単位画素７０よりも小面積になるように形成されている。また、端部単位画素７１は、端部サブ画素７１ｒ、７１ｇ、７１ｂが内部単位画素７０の内部サブ画素７０ｒ、７０ｇ、７０ｂと面積比が同等になるように形成されていると共に、外縁１６ａ位置に応じて、その端部サブ画素７１ｒ、７１ｇ、７１ｂの並列方向を変化させている。具体的には、画像表示領域１６の外縁１６ａに位置する端部単位画素７１の場合に、その外縁１６ａと平行に端部サブ画素７１ｒ、７１ｇ、７１ｂを並列させている。
【００６２】
ここで、図１７に示した横電界方式の液晶画素アレイでは、非矩形の内部単位画素７０の画素電極２９が、くの字をした透明電極で構成され、画素電極２９と同様のくの字で同じ透明電極で構成される共通電極３０が、画素電極２９から並進した位置に配置されている。すなわち、透明画素電極２９と透明共通電極３０は、同層で、かつ、略等しい間隔で並列に配置されている。そして、透明画素電極２９と透明共通電極３０の電位差により発生する、基板表面に平行な電界、具体的には、左右横方向の電界により、液晶が駆動する。
【００６３】
同じ。図１７に示した端部単位画素７１に含まれる透明画素電極２９と透明共通電極３０の並列方向は、内部単位画素７０とは異なる。すなわち、透明画素電極２９は、薄膜トランジスタ２４、蓄積容量２３から図１７中の横方向に延伸し、透明共通電極３０及び隣の色の画素電極は、それを縦に並進した位置に配置される。一方、透明画素電極２９及び透明共通電極３０にはそれぞれ分岐した箇所が設けられている。そして電極の形状は、対になる画素電極２９と共通電極３０の間に発生する、基板表面に平行な電界の向きが、内部単位画素７０で発生する電界と略等しくなるように構成されている。
【００６４】
この実施の形態によれば、端部単位画素７１と内部単位画素７０とでは各色のサブ画素の並列方向は異なるものの、各画素電極２９と共通電極３０の間に発生する横電界は略等しい。電界方向が等しいことから、内部単位画素７０と端部単位画素７１とで液晶は同様に機能して、同じ色が表示される。
【００６５】
このように、この実施形態によれば、液晶表示装置は、画像表示領域１６の外縁１６ａに位置する端部単位画素７１の端部サブ画素７１ｒ、７１ｇ、７１ｂの一部が偏った状態で遮光層１８で隠されてしまうことを回避することができる。したがって、端部単位画素７１でも、内部単位画素７０と同様に、各色を均等面積で表示することができる。さらに、内部単位画素７０と端部単位画素７１で透明画素電極２９透明共通電極３０の間に発生する電界が略等しいことから、画像表示領域１６の外縁１６ａでの色バランスを維持することができる。
【００６６】
また、この実施形態では、内部単位画素７０の透明画素電極２９をくの字形状としたが、これに限らず、例えば、直線であっても良い。この場合にも、上記したと略同様の作用効果を得ることができる。
【実施形態８】
【００６７】
次に、この発明の第８の実施形態について説明する。
図１８は、この発明の第８の実施形態である画像表示装置を構成する画像表示領域のうち、一の端部まわりの画素構成を一部拡大して示す一部拡大平面図、また、図１９は、同画像表示装置を構成する画像表示領域のうち、別の端部まわりの画素構成を示す一部拡大平面図である。
【００６８】
この実施形態の携帯電話機（電子機器）の円形表示装置１５は、図１８及び図１９に示すように、上述の第１の実施形態の液晶の単位画素２０と同様に、画像表示領域１６内に、自己発光素子、例えば、ＥＬ（electroluminescence）素子で構成された単位画素６０を配列させて構成されている。単位画素６０は、ＥＬ素子が各色で発光効率が異なることから、３原色のＲＧＢ毎のサブ画素６０ｒ、６０ｇ、６０ｂの並列方向の幅（面積）を、その発光効率に応じて各色の輝度が均等になるように調整している。なお、一般に、ＥＬ素子の発光効率は、Ｒ・Ｂに比べてＧが低いため、３色独立画素構造を持ったＥＬ表示装置では、Ｇのサブ画素４０ｇの面積を大きくして、Ｒ・Ｂのサブ画素６０ｒ、６０ｂと協働させることで色バランスを保っている。すなわち、サブ画素６０ｒ、６０ｇ、６０ｂは、面積が均一ではなく、ある比率、例えばａ：ｂ：ｃに設定されている。
【００６９】
そして、端部単位画素６１は、遮光層１８内の画像表示領域１６の外縁１６ａ位置に応じて、内部単位画素２０よりも小面積になるように形成されている。また、端部単位画素６１は、端部サブ画素６１ｒ、６１ｇ、６１ｂが個々の矩形を維持しつつ内部単位画素６０の内部サブ画素６０ｒ、６０ｇ、６０ｂと面積比が同等になるように形成されていると共に、外縁１６ａ位置に応じて、その端部サブ画素６１ｒ、６１ｇ、６１ｂの並列方向を変化させている。
【００７０】
具体的には、画像表示領域１６の図１８中の上側又は下側の外縁１６ａに位置する端部単位画素６１にあっては、端部サブ画素６１ｒ、６１ｇ、６１ｂは、内部単位画素６０の内部サブ画素６０ｒ、６０ｇ、６０ｂの並列方向と同一の横方向に並列配置されている。また、その端部単位画素６１毎に端部サブ画素６１ｒ、６１ｇ、６１ｂが同一の面積比になるように上側又は下側を縮小して内部単位画素６０よりも小面積に形成されている。一方、画像表示領域１６の図１８中の左側又は図示せぬ右側の外縁１６ａに位置する端部単位画素６１の場合にも、端部サブ画素６１ｒ、６１ｇ、６１ｂを内部単位画素６０の内部サブ画素６０ｒ、６０ｇ、６０ｂの並列方向と直交する縦方向に並列させている。また、その端部単位画素６１毎に端部サブ画素６１ｒ、６１ｇ、６１ｂが同一の面積比になるように右側又は左側を縮小して内部単位画素６０よりも小面積に形成されている。
【００７１】
このように、この実施形態によれば、上述の第１の実施形態と同様の作用効果を、ＥＬ素子で単位画素６０を構成する円形表示装置１５でも得ることができ、内部単位画素６０と同様に、端部単位画素６１の端部サブ画素６１ｒ、６１ｇ、６１ｂを、各色の発光効率に応じた面積比にして表示することができる。したがって、画像表示領域１６の外縁１６ａでの色バランスを維持することができる。
【００７２】
以上、この発明の実施形態を図面を参照して詳述してきたが、具体的な構成はこの実施形態に限られるものではなく、この発明の要旨を逸脱しない範囲の設計の変更等があってもこの発明に含まれる。例えば、上述の実施形態では、端部単位画素が、内部単位画素よりも小面積に設定するようにしたが、外縁（領域境界線）が、装置縦方向又は横方向に沿っている箇所では、端部単位画素が、内部単位画素と同一面積であることも起こり得る。また、例えば、原色は３種類、赤（Ｒ）、緑（Ｇ）、青（Ｂ）に限らず、４種類以上の多色にも適用できる。また上述の実施形態では、ＴＦＴ型の液晶表示装置を主に説明するが、これに限るものではなく、例えば、ＳＴＮ（Super Twisted Nematic）型でも適用することができる。また、上述の第８の実施形態では、単位画素を自己発光素子のＥＬ素子で構成するようにしたが、これに限らず、無機・有機等の種類に関係なく使用可能であると共に、ＥＬ素子以外のカラー自発光型素子に用いることもできる。また、自発光素子に限らず、各色の面積を変える必要がある様々な素子にも適用することができ、例えば、人が感じる実質的な解像度を増大するために、画素の形状・サイズ・混色を工夫する、所謂、ペンタイル（Pen Tile）技術等でも適用可能である。
【産業上の利用可能性】
【００７３】
この発明は、携帯電話機に限らず、例えば、ＰＤＡ（携帯情報端末）等の携帯電子端末に広く適用できる。携帯端末に限らず、デジタル・アナログの時間、カレンダ、気温、気圧等の多機能表示が可能な時計やデジタル写真立てやデジタルペンダント等にも適用することができる。
【符号の説明】
【００７４】
１５、４５        画像表示装置
１６、４６        画像表示領域
１６ａ、４６ａ        外縁
２０、４０、６０、７０        内部単位画素
２０ｒ、２０ｇ、２０ｂ        内部単位画素
４０ｒ、４０ｇ、４０ｂ        内部サブ画素
６０ｒ、６０ｇ、６０ｂ        内部サブ画素
２１、３１、３３、３４、４１、５１、６１、７１        端部単位画素
２１ｒ、２１ｇ、２１ｂ、３１ｒ、３１ｇ、３１ｂ        端部サブ画素
３３ｒ、３３ｇ、３３ｂ、３３ｒ、３３ｇ、３３ｂ        端部サブ画素
４１ｒ、４１ｇ、４１ｂ、５１ｒ、５１ｇ、５１ｂ        端部サブ画素
５３ｒ、５３ｇ、５３ｂ、６１ｒ、６１ｇ、６１ｂ        端部サブ画素
７１ｒ、７１ｇ、７１ｂ        端部サブ画素
２５        走査線（回路）
２５ａ        分岐走査線（分岐線）
２６、５７        信号線（回路）
２６ａ、４７ａ、５７ａ        分岐信号線（分岐線）
２７        ブラックマトリックス（一部が画素境界線に対応）
２８        共通電極
２９        透明画素電極
３０        透明共通電極
４７        追加信号線（回路）
Ｌｔ        領域境界線
【図１】
2010286825.tif 000003
【図２】
2010286825.tif 000004
【図３】
2010286825.tif 000005
【図４】
2010286825.tif 000006
【図５】
2010286825.tif 000007
【図６】
2010286825.tif 000008
【図７】
2010286825.tif 000009
【図８】
2010286825.tif 000010
【図９】
2010286825.tif 000011
【図１０】
2010286825.tif 000012
【図１１】
2010286825.tif 000013
【図１２】
2010286825.tif 000014
【図１３】
2010286825.tif 000015
【図１４】
2010286825.tif 000016
【図１５】
2010286825.tif 000017
【図１６】
2010286825.tif 000018
【図１７】
2010286825.tif 000019
【図１８】
2010286825.tif 000020
【図１９】
2010286825.tif 000021
【図２０】
2010286825.tif 000022
【図２１】
2010286825.tif 000023